(57)【要約】【課題】より通信性能を高くすることが可能な光源ユニットおよび照明器具を提供する。【解決手段】光源ユニット１０は、光源部１と、無線通信を行う無線通信部２と、光源部１および無線通信部２を保持する保持体３と、を備えている。保持体３は、金属材料により構成され光源部１を支持する支持部材４と、支持部材４に取り付けられ支持部材４を覆うように内部に空間１０ａａを形成するカバー部材５と、を有している。無線通信部２は、アンテナ部２ａと、通信回路部２ｂと、を備えている。カバー部材５は、樹脂材料により電波を透過させるように構成されている。アンテナ部２ａは、カバー部材５により形成された空間１０ａａに配置されている。【選択図】図１
2019169481.tif 000002
【特許請求の範囲】
【請求項１】
光源部と、電波を媒体として無線通信を行う無線通信部と、前記光源部および前記無線通信部を保持する保持体と、を備え、
前記保持体は、金属材料により構成され前記光源部を支持する支持部材と、前記支持部材に取り付けられ前記支持部材を覆うように内部に空間を形成するカバー部材と、を有し、
前記無線通信部は、電波の送信または受信の少なくともいずれか一方が可能なアンテナ部と、該アンテナ部と電気的に接続される通信回路部と、回路基板と、該回路基板を収容する収容ケースと、を備え、
前記支持部材は、前記光源部が取り付けられる板状の取付部を備え、該取付部の厚み方向に貫通する開口部を有しており、
前記カバー部材は、樹脂材料により電波を透過させるように構成され、
前記アンテナ部は、前記カバー部材により形成された前記空間に配置されており、
前記回路基板は、前記アンテナ部が設けられる第１領域と、前記通信回路部が設けられる第２領域と、を有しており、
前記収容ケースは、樹脂材料により電波を透過させるように構成されており、
前記収容ケースは、前記アンテナ部を収容し前記取付部の前記開口部に挿通可能なアンテナ収容部と、前記通信回路部を収容し前記開口部に挿通不可能な形状の通信回路収容部とを備え、
前記アンテナ収容部は、前記開口部に挿通され前記開口部から前記カバー部材に向かって突出するように前記空間に配置されており、
前記通信回路収容部は、前記取付部から見て前記カバー部材とは反対側に配置されていることを特徴とする光源ユニット。
【請求項２】
前記カバー部材は、複数の面が組み合わされ、かつ前記光源部を覆うように形成されており、
前記無線通信部は、前記複数の面のうちで、最も小さい面の近傍に配置されていることを特徴とする請求項１に記載の光源ユニット。
【請求項３】
前記カバー部材は、前記光源部からの光を透過させる透光性を有していることを特徴とする請求項１又は請求項２に記載の光源ユニット。
【請求項４】
前記アンテナ部が形成された前記回路基板の一面が、前記支持部材の長手方向と直交する方向に沿っていることを特徴とする請求項１ないし請求項３のいずれか１項に記載の光源ユニット。
【請求項５】
請求項１ないし請求項４のいずれか１項に記載の光源ユニットと、該光源ユニットを保持する器具本体と、を備えたことを特徴とする照明器具。
【発明の詳細な説明】
【技術分野】
【０００１】
本発明は、光源ユニットおよび照明器具に関し、特に、無線通信が可能な光源ユニットおよびそれを備えた照明器具に関する。
【背景技術】
【０００２】
近年、省エネルギ化や利便性の向上を図るために、無線通信で照明器具の遠隔操作が行われる場合がある。
【０００３】
この種の照明器具としては、無線部のアンテナが、照明器具内に備えられ照明器具外部と連通される貫通孔に対応して設けられる構造が知られている（たとえば、特許文献１）。
【０００４】
また、照明器具ではないが、無線通信回路と給電線により接続されたアンテナの放射素子を、正面側から見た場合のフレーム領域に位置するように回路基板上に配置させた電子機器も知られている（たとえば、特許文献２）。
【先行技術文献】
【特許文献】
【０００５】
【特許文献１】特開２０１３−３３６５２号公報
【特許文献２】特開２０１２−２３５２２４号公報
【発明の概要】
【発明が解決しようとする課題】
【０００６】
ところで、光源ユニットおよびそれを備えた照明器具では、より通信性能の高い構造が求められており、上述の特許文献１や上述の特許文献２を応用した構成だけでは十分でなく、更なる改良が求められている。
【０００７】
本発明の目的は、より通信性能を高くすることが可能な光源ユニットおよび照明器具を提供することにある。
【課題を解決するための手段】
【０００８】
本発明の一態様の光源ユニットは、光源部と、無線通信部と、保持体と、を備えている。上記無線通信部は、電波を媒体として無線通信を行うことができるように構成されている。上記保持体は、上記光源部および上記無線通信部を保持する。上記保持体は、支持部材と、カバー部材と、を有している。上記支持部材は、金属材料により構成されている。上記支持部材は、上記光源部を支持するように構成されている。上記カバー部材は、上記支持部材に取り付けられる。上記カバー部材は、上記支持部材を覆うように内部に空間を形成する。上記無線通信部は、アンテナ部と、通信回路部と、回路基板と、収容ケースと、を備えている。上記アンテナ部は、電波の送信または受信の少なくともいずれか一方が可能なように構成されている。上記通信回路部は、上記アンテナ部と電気的に接続される。上記収容ケースは、上記回路基板を収容する。上記カバー部材は、樹脂材料により構成されている。上記カバー部材は、電波を透過させるように構成されている。上記アンテナ部は、上記カバー部材により形成された上記空間に配置されている。上記回路基板は、上記アンテナ部が設けられる第１領域と、上記通信回路部が設けられる第２領域と、を有している。上記収容ケースは、樹脂材料により電波を透過させるように構成されている。上記収容ケースは、上記アンテナ部を収容し上記取付部の上記開口部に挿通可能なアンテナ収容部と、上記通信回路部を収容し上記開口部に挿通不可能な形状の通信回路収容部とを備える。上記アンテナ収容部は、上記開口部に挿通され上記開口部から上記カバー部材に向かって突出するように上記空間に配置されている。上記通信回路収容部は、上記取付部から見て上記カバー部材とは反対側に配置されていることを特徴とする。
【０００９】
本発明の一態様の照明器具は、上述の上記光源ユニットと、当該光源ユニットが取り付けられる器具本体と、を備えたことを特徴とする。
【発明の効果】
【００１０】
本発明の光源ユニットは、より通信性能を高くすることが可能となる。
【００１１】
本発明の照明器具は、より通信性能を高くすることが可能となる。
【図面の簡単な説明】
【００１２】
【図１】実施形態１の光源ユニットを説明する断面図である。
【図２】実施形態１の光源ユニットの要部を説明する一部破断した斜視断面図である。
【図３】実施形態１の光源ユニットの要部を説明する一部破断した正面図である。
【図４】実施形態１の光源ユニットを用いた照明器具を示す分解斜視図である。
【図５】実施形態１の光源ユニットを用いた照明器具を示す斜視図である。
【図６】実施形態２の光源ユニットの要部を説明する斜視図である。
【図７】実施形態２の光源ユニットの要部を説明する一部破断した正面図である。
【図８】実施形態２の光源ユニットの側面図である。
【図９】実施形態２の光源ユニットにおける要部の分解斜視図である。
【図１０】実施形態２の光源ユニットを説明する平面説明図である。
【図１１】実施形態２と比較する光源ユニットを説明する平面説明図である。
【発明を実施するための形態】
【００１３】
（実施形態１）
以下では、本実施形態の光源ユニット１０について、図１、図２および図３を参照して説明する。図４および図５では、光源ユニット１０を備えた照明器具３０について説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１４】
本実施形態の光源ユニット１０は、図１、図２および図３に示すように、光源部１と、無線通信部２と、保持体３と、を備えている。無線通信部２は、電波を媒体として無線通信を行うことができるように構成されている。保持体３は、光源部１および無線通信部２を保持する。保持体３は、支持部材４と、カバー部材５と、を有している。支持部材４は、金属材料により構成されている。支持部材４は、光源部１を支持するように構成されている。カバー部材５は、支持部材４に取り付けられる。カバー部材５は、支持部材４を覆うように内部に空間１０ａａを形成する。無線通信部２は、アンテナ部２ａと、通信回路部２ｂと、を備えている。アンテナ部２ａは、電波の送信または受信の少なくともいずれか一方が可能なように構成されている。通信回路部２ｂは、アンテナ部２ａと電気的に接続される。カバー部材５は、樹脂材料により構成されている。カバー部材５は、電波を透過させるように構成されている。アンテナ部２ａは、カバー部材５により形成された空間１０ａａに配置されている。
【００１５】
本実施形態の光源ユニット１０は、アンテナ部２ａが電波を透過させるカバー部材５により形成された空間１０ａａに配置されているので、より通信性能を高くすることが可能となる。
【００１６】
以下、本実施形態の光源ユニット１０について詳細に説明する。
【００１７】
光源部１は、発光素子１ａと、発光素子１ａを電気的に接続する実装基板１ｂと、を備えている。発光素子１ａは、ＬＥＤ(Light Emitting Diode)を用いている。発光素子１ａ
は、はんだにより、実装基板１ｂに設けられた配線部と電気的に接続している。
【００１８】
実装基板１ｂは、長尺、かつ平板状の外形形状をしている。実装基板１ｂは、図２および図３に示すように、長手方向に沿って、複数の発光素子１ａが実装されている。実装基板１ｂは、配線部を用いて、複数の発光素子１ａを電気的に直列接続させている。複数の発光素子１ａは、実装基板１ｂの短手方向における中央部において、実装基板１ｂの長手方向に沿って直線状に配置されている。実装基板１ｂは、たとえば、プリント配線板を用いることができる。実装基板１ｂは、発光素子１ａの実装面を除いて、レジスト膜が形成されている。実装基板１ｂは、プリント配線板だけに限られず、たとえば、セラミック基板、金属ベースプリント配線板などを用いてもよい。実装基板１ｂは、支持部材４の取付部４ａに取り付けられ支持されている。光源部１は、ＬＥＤを用いた構成だけに限られず、有機エレクトロルミネッセンス素子や放電灯などで構成されていてもよい。
【００１９】
支持部材４は、長尺の外形形状をしている。支持部材４は、たとえば、鋼板を用いて形成することができる。支持部材４は、板状の取付部４ａと、一対の側壁部４ｂと、を有している。支持部材４は、断面視において、取付部４ａと一対の側壁部４ｂとで、Ｃ字状に形成されている。取付部４ａは、正面視において、長尺の矩形状に形成されている。側壁部４ｂは、取付部４ａの短手方向における両端から取付部４ａと直交する方向に延びるように設けられている。側壁部４ｂの先端部には、外方に向かって突出する突出部４ｅが設けられている。支持部材４は、長手方向の全長に亘って、突出部４ｅを設けている。
【００２０】
突出部４ｅは、側壁部４ｂの先端が巻かれて円筒状に形成されている。取付部４ａの中央部には、長手方向に沿って、凹所４ａｄが設けられている。凹所４ａｄは、底部４ｃｂと、一対の側部４ｃｃと、を備えている。底部４ｃｂは、正面視において、長尺の矩形状に形成されている。側部４ｃｃは、底部４ｃｂの長手方向に沿って、底部４ｃｂから立ち上がるように設けられている。支持部材４は、底部４ｃｂの所定位置に実装基板１ｂが配置できるように構成されている。支持部材４は、底部４ｃｂから突出する係止片４ｓを有している。係止片４ｓは、実装基板１ｂの厚み方向に貫通した孔部１ｂｃに挿通できるように構成されている。支持部材４は、係止片４ｓが折り曲げ加工されることで、実装基板１ｂを係止片４ｓと底部４ｃｂとの間に、かしめ固定することができる。
【００２１】
一対の側部４ｃｃは、底部４ｃｂから離れるにつれ、互いの距離が広がるように設けられている。側部４ｃｃの表面は、発光素子１ａからの光を反射する反射面を構成している。取付部４ａの長手方向の一端部には、厚み方向に開口する開口部４ａａが設けられている。開口部４ａａは、取付部４ａの端部を切り欠くように構成されてもよいし、取付部４ａの厚み方向に貫通する貫通孔のように構成されてもよい。開口部４ａａは、たとえば、支持部材４を構成する金属板の打ち抜き加工により形成することができる。
【００２２】
光源ユニット１０は、金属材料より形成された支持部材４に実装基板１ｂを当接させて支持させることで、支持部材４を放熱板として利用することができる。支持部材４は、樹脂に比べて熱伝導性の高い鋼板により形成されている場合、発光素子１ａで発生した熱を、外部に効率よく放熱させることが可能となる。支持部材４の材料は、鋼板だけに限られず、アルミニウム、銅やステンレスなどの金属材料により形成してもよい。支持部材４は、板金の打ち抜き加工および曲げ加工を施すことで形成される。支持部材４は、カバー部材５を取り付けることができるように構成されている。
【００２３】
カバー部材５は、長尺に構成されている。カバー部材５は、光源部１を覆うように、支持部材４に取り付けられる。カバー部材５は、発光素子１ａが実装された実装基板１ｂを覆うことで、支持部材４との間に空間１０ａａができるように構成されている。カバー部材５は、カバー本体５ａと、カバーエンド５ｂと、を備えている。
【００２４】
カバー本体５ａは、半円筒状の光出射部５ｃと、一対の突壁部５ｄとを備えている。突壁部５ｄは、光出射部５ｃの長手方向に沿って設けられている。一対の突壁部５ｄは、光出射部５ｃの両端部より互いに平行に突出するように形成されている。一対の突壁部５ｄの先端それぞれには、互いに近づく向きに突出する突起部５ｅが設けられている。
【００２５】
突起部５ｅは、支持部材４の突出部４ｅに引っ掛けることができるように構成されている。突壁部５ｄには、突起部５ｅと光出射部５ｃとの間に、内突部５ｆを備えている。一対の内突部５ｆは、対向する突壁部５ｄに向かうように内側に突出する。光出射部５ｃの長手方向における両端部には、延出部５ｈが設けられている。延出部５ｈは、光出射部５ｃと連なるように、突壁部５ｄの外側まで延出している。カバー本体５ａは、光出射部５ｃと突壁部５ｄと突起部５ｅと延出部５ｈと内突部５ｆが一体的に形成されている。
【００２６】
カバーエンド５ｂは、支持部材４およびカバー本体５ａの長手方向の端部に設けられる。カバーエンド５ｂは、半円板状の外形形状に形成される。カバーエンド５ｂは、カバー本体５ａの内突部５ｆを挟み持つ挟持部５ｇを備えている。カバーエンド５ｂは、カバー本体５ａの端部において、挟持部５ｇが内突部５ｆを挟み持つことで、カバー本体５ａに取り付けられる。カバー部材５は、カバー本体５ａとカバーエンド５ｂとで複数の面を備える多面体を構成している。カバーエンド５ｂは、光源部１から光を出射させるカバー部材５の面のうちで、もっとも小さい面を備えている。
【００２７】
本実施形態の光源ユニット１０では、カバー部材５は、光源部１からの光を透過させる透光性を有している。カバー部材５は、カバー部材５の外底面５ａａより、光源部１からの光を外部に出射させる。光源ユニット１０は、カバー部材５が光源部１からの光を透過させる透光性を有していることで、光源部１の光利用効率の低下を抑制することができる。カバー部材５は、発光素子１ａから放射された光を効率よく透過できる構成が好ましい。カバー部材５は、電波の透過性の高い材料を用いることが好ましい。カバー部材５は、たとえば、ポリカーボネート樹脂やアクリル樹脂などの樹脂材料を用いて形成することができる。カバー部材５は、たとえば、射出成形により形成することができる。カバー部材５は、透光性の樹脂材料に光拡散材を含有させてもよい。
【００２８】
カバー部材５は、カバー本体５ａとカバーエンド５ｂとを、同じ材料で形成させてもよいし、異なる材料で形成させてもよい。カバー部材５は、カバー本体５ａとカバーエンド５ｂとを、同じ厚みで形成させてもよいし、カバー本体５ａに対して、カバーエンド５ｂの厚みを異なるように形成されていてもよい。
【００２９】
無線通信部２は、支持部材４に取り付けられる。無線通信部２は、アンテナ部２ａと通信回路部２ｂとを用いて、無線通信を行うことができるように構成されている。無線通信部２は、アンテナ部２ａと通信回路部２ｂとに加え、回路基板６と、回路基板６を収容する収容ケース７と、を備えている。
【００３０】
回路基板６は、平板状の外形形状をしている。回路基板６は、たとえば、プリント配線板を用いることができる。回路基板６は、アンテナ部２ａが設けられる第１領域６ｃａと、通信回路部２ｂが設けられる第２領域６ｃｂとを有している。回路基板６は、アンテナ部２ａで受信された通信信号を通信回路部２ｂに入力することができるように構成されている。回路基板６は、通信回路部２ｂが出力した通信信号を、アンテナ部２ａから外部に無線で放射できるように構成されている。
【００３１】
アンテナ部２ａは、たとえば、回路基板６における所定形状の配線６ａを用いて形成させることができる。所定形状の配線６ａとしては、たとえば、図１に示すように、配線６
ａを折り曲げて形成させた迂回配線などが挙げられる。アンテナ部２ａは、回路基板６の厚み方向の一面だけに設けてもよいし、両面に設けてもよい。アンテナ部２ａは、回路基板６の配線６ａを利用して形成した構成だけに限られず、回路基板６とは別途に形成させてもよい。アンテナ部２ａは、回路基板６の配線６ａを利用して形成する場合、回路基板６と別途にアンテナ部２ａを形成する構造と比較して、アンテナ部２ａの部品コストを抑制し安価に構成することができる。アンテナ部２ａは、回路基板６と別途に形成させる場合、回路基板６の第１領域６ｃａに適宜に固定させればよい。通信回路部２ｂは、たとえば、水晶発振器、マイクロコンピュータなどの電子部品６ｄを搭載して、電波の送信または受信の少なくともいずれか一方を行うことができるように構成されている。
【００３２】
収容ケース７は、直方体状の外形形状をしている。収容ケース７は、たとえば、蓋体７ａと、ケース本体７ｂと、を備えた構成とすることができる。収容ケース７は、ケース本体７ｂに回路基板６を収容し、蓋体７ａを被せることで、内部が空洞な箱状とすることができる。収容ケース７は、アンテナ部２ａを蓋体７ａに収容させ、通信回路部２ｂをケース本体７ｂに収容できるように、回路基板６を配置している。蓋体７ａは、アンテナ部２ａを収容するアンテナ収容部７ｃを構成している。収容ケース７は、支持部材４に固定させることができるように、長手方向に突出した板状の固定部７ｄを、ケース本体７ｂに備えている。固定部７ｄは、厚み方向に貫通する螺子孔を備えている。収容ケース７は、支持部材４の貫通孔を挿通する螺子７ｅが、固定部７ｄで螺子止めできるように構成されている。収容ケース７は、取付部４ａの厚み方向に貫通する開口部４ａａにアンテナ収容部７ｃを挿通させることができるように構成させている。
【００３３】
収容ケース７は、電波を透過する材料によって形成されている。収容ケース７の材料としては、たとえば、ポリカーボネート樹脂、エポキシ樹脂、ポリエステル樹脂、ポリイミド樹脂などの合成樹脂を用いることができる。収容ケース７は、収容ケース７を構成する合成樹脂に光拡散材を含有させることができる。
【００３４】
無線通信部２は、開口部４ａａからカバー部材５に向かってアンテナ収容部７ｃを突出させた状態で、支持部材４を介して螺子７ｅが固定部７ｄに螺子止めされている。無線通信部２は、カバー部材５に向かってアンテナ収容部７ｃを突出させることで、回路基板６を底部４ｃｂの表面に対して交差するように配置されている。無線通信部２は、カバー部材５に向かって支持部材４の凹所４ａｄから突出するように空間１０ａａに配置されることで、アンテナ部２ａの通信性能を高めることが可能となる。光源ユニット１０は、たとえば、アンテナ部２ａが形成された回路基板６の一面を支持部材４の長手方向と直交する方向に沿わせることで、支持部材４の長手方向への電波の指向性を高めることができる。
【００３５】
すなわち、本実施形態の光源ユニット１０では、無線通信部２は、回路基板６と、収容ケース７と、を備えている。収容ケース７は、回路基板６を収容することができるように構成されている。回路基板６は、アンテナ部２ａが設けられる第１領域６ｃａと、通信回路部２ｂが設けられる第２領域６ｃｂとを有している。収容ケース７は、樹脂材料により電波を透過させるように構成されている。
【００３６】
光源ユニット１０は、回路基板６を収容する収容ケース７により、無線通信部２の取り扱いを容易に行うことが可能となる。
【００３７】
本実施形態の光源ユニット１０では、支持部材４は、光源部１が取り付けられる板状の取付部４ａを備えている。支持部材４は、取付部４ａの厚み方向に貫通する開口部４ａａを有している。収容ケース７は、アンテナ部２ａを収容するアンテナ収容部７ｃを備えている。アンテナ収容部７ｃは、開口部４ａａに挿通され、かつカバー部材５に向かって突出するように空間１０ａａに配置される。
【００３８】
光源ユニット１０は、アンテナ収容部７ｃが開口部４ａａに挿通され、かつカバー部材５に向かって突出するように空間１０ａａに配置されることで、空間１０ａａに設けられる無線通信部２の部分を小さくさせることができる。
【００３９】
無線通信部２は、たとえば、光源ユニット１０を備えた照明器具３０の外部に配置された通信装置に対して、電波により通信信号を送信や受信できるように構成されている。無線通信部２は、たとえば、人検知センサと接続された通信装置から人の存在を示す無線信号を受信することができる。光源ユニット１０は、人検知センサからの人の存在を示す無線信号を受信すれば、光源部１を点灯させるように構成することができる。光源ユニット１０は、人検知センサからの人の不在を示す無線信号を受信すれば、光源部１を減光または消灯させるように構成することができる。無線通信部２は、たとえば、光源ユニット１０の故障の有無を示す無線信号を通信装置に送信することができる。無線通信部２は、たとえば、光源ユニット１０における消費電力を示す無線信号を通信装置に送信することができる。
【００４０】
すなわち、無線通信部２は、無線信号を送受信する機能を備えている。無線通信部２は、無線信号を送信する機能のみを有する構成としてもよい。無線通信部２は、無線信号を受信する機能のみを有する構成としてもよい。
【００４１】
無線通信部２が送信する無線信号の周波数は、たとえば、ＵＨＦ帯を用いることができる。無線通信部２は、無線通信として、たとえば、２．４ＧＨｚ帯の小電力データ通信システムを用いている。無線通信部２は、２．４ＧＨｚ帯の小電力データ通信システムを用いる構成だけに限られず、たとえば、９２０ＭＨｚ帯の特定小電力無線通信システムを用いてもよい。
【００４２】
光源ユニット１０は、光源部１と無線通信部２と保持体３とに加え、図４に示す点灯ユニット８を備えている。
【００４３】
点灯ユニット８は、光源部１および無線通信部２と電気的に接続されている。点灯ユニット８は、光源部１の点灯を制御する制御部と、光源部１や無線通信部２に給電する電源部とを備えた構成とすることができる。電源部は、商用交流電源などの外部電源からの電力を所定の電力に変換して、光源部１、無線通信部２に各別に電力を供給できるように構成されている。点灯ユニット８は、無線通信部２からの信号に基づいて、光源部１の点灯を制御することができるように構成されている。点灯ユニット８は、制御部や電源部を構成する点灯基板８ａと、点灯基板８ａを収容するハウジング部８ｃとを備えている。
【００４４】
点灯基板８ａは、たとえば、電源部が交流電圧を直流電圧に変換するように構成されている。点灯ユニット８は、支持部材４における光源部１と反対側に保持される。光源ユニット１０は、外部からの電力が点灯ユニット８に給電されるように構成されている。点灯基板８ａには、複数種の電装部品８ｂが実装される。
【００４５】
電装部品８ｂは、点灯ユニット８を構成する各種の回路を構成するために用いられる。各種の回路としては、たとえば、フィルタ回路、昇圧回路、降圧回路、主制御回路、制御電源回路、調光制御回路、消灯制御回路などが挙げられる。電装部品８ｂとしては、たとえば、トランス、ダイオード、コンデンサ、スイッチング素子やマイクロコンピュータなどが挙げられる。外部電源は、たとえば、商用交流電源を用いることができる。点灯ユニット８には、交流電力が給電される。
【００４６】
ハウジング部８ｃは、一面に開口が形成された矩形箱状の外形形状をしている。点灯ユ
ニット８は、点灯基板８ａを収容したハウジング部８ｃが支持部材４に取り付けられるように構成されている。ハウジング部８ｃは、開口が支持部材４の取付部４ａで塞がれるように配置される。ハウジング部８ｃは、金属製の板材の折り曲げ加工によって、形成することができる。ハウジング部８ｃは、たとえば、取付螺子８ｄなどを用いて、支持部材４に取り付けられる。
【００４７】
無線通信部２は、回路基板６と電気的に接続された配線コード２ｆを介して、点灯ユニット８と電気的に接続される。配線コード２ｆは、シールド線を用いることができる。シールド線は、被覆付き導線の周りに細い導線や金属箔で包んだ構造としている。シールド線は、外部の導線や金属箔をグランド電位にして、内部の導線に通信信号を流すことができるように構成されている。
【００４８】
ところで、本願と比較のための光源ユニットでは、外部に無線通信部２のアンテナ部２ａが突出しているとデザイン自由度が制約され、見栄えが悪い印象を与えることがある。光源ユニットは、光源部１で生じた熱を外部に効率よく放熱させるため、金属材料からなる支持部材４に光源部１を取り付けている。光源ユニットは、見栄えを良くするために、無線通信部２を単純に支持部材４に配置させた場合、アンテナ部２ａの指向性や利得などの通信性能が低下する傾向にある。
【００４９】
光源ユニット１０は、取付部４ａの表面に対して、回路基板６を交差するように配置させた場合、回路基板６を平行に配置した場合よりも、金属材料からなる支持部材４に電波が吸収されることを抑制し、無線通信部２からの電波の放射強度比を高くできる。光源ユニット１０は、取付部４ａの表面に対して、回路基板６を交差するように配置させた場合、回路基板６を平行に配置した場合よりも、無線通信部２の電波放射強度比のばらつきを小さくすることも可能となる。
【００５０】
本実施形態の光源ユニット１０では、無線通信部２は、支持部材４の長手方向において、点灯ユニット８から離れた位置に配置されている。無線通信部２は、水晶発振器などを備えており、光源部１もしくは点灯ユニット８からの熱により加熱されると、出力される電波が弱くなるおそれがある。無線通信部２は、点灯ユニット８から離れた位置に配置されていることで、通信性能の低下を抑制させることが可能となる。
【００５１】
無線通信部２は、支持部材４の端部に設けられている場合、カバーエンド５ｂに無線通信部２の影が映る場合もある。光源ユニット１０では、カバー部材５全体のうち、カバーエンド５ｂの面積が小さく、照明への寄与が少ないため、アンテナ部２ａにより光源部１からの光を遮蔽する影響を小さくすることができる。光源ユニット１０では、アンテナ部２ａにより光源部１からの光を遮蔽する影響を小さくすることで、無線通信部２の存在を目立ちにくくすることが可能となる。
【００５２】
言い換えれば、本実施形態の光源ユニット１０では、カバー部材５は、複数の面が組み合わされ、かつ光源部１を覆うように形成されている。無線通信部２は、複数の面のうちで、最も小さい面の近傍に配置されていることが好ましい。
【００５３】
光源ユニット１０は、無線通信部２が、複数の面のうちで、最も小さい面の近傍に配置されていることにより、カバー部材５に無線通信部２の影が投影されても、無線通信部２を目立ちにくくすることができる。複数の面のうちで、最も小さい面は、光源ユニット１０において、光源部１から放射される光が少ない面であり、無線通信部２が近傍に配置されても、より大きな面の近傍に配置させる場合と比較して、無線通信部２による遮光の影響を小さくすることが可能となる。すなわち、無線通信部２は、光源ユニット１０において、主照明としての寄与度が低い光源ユニット１０の端部に配置している。
【００５４】
光源ユニット１０は、カバー部材５のカバーエンド５ｂと、収容ケース７との間に隙間を設けている。光源ユニット１０では、カバー部材５のカバーエンド５ｂと、収容ケース７との間に隙間を設けているため、支持部材４やカバー部材５で散乱した光の回り込みにより、光源ユニット１０の端部が極端に暗くなることを抑制することができる。
【００５５】
収容ケース７は、合成樹脂中に光拡散材を含有させることで、カバー部材５に回路基板６が映り込んで外部から回路基板６が視認されることを抑制することができる。収容ケース７は、回路基板６が外部から映り込んで視認されることを抑制することで、光源ユニット１０の見栄えを良くすることができる。収容ケース７は、合成樹脂中に光拡散材を含有させることで、収容ケース７とカバー部材５との間に入り込んだ光を外部に反射させ、光拡散材を含有しない構成と比較して、無線通信部２が設けられた光源ユニット１０の端部の輝度の低下を抑制させることもできる。収容ケース７は、収容ケース７を構成する合成樹脂に光拡散材を含有させることで、白色に着色されることが好ましい。
【００５６】
以下では、光源ユニット１０の組立工程について説明する。
【００５７】
光源ユニット１０の組立工程では、発光素子１ａを実装基板１ｂに実装してあらかじめ光源部１を準備している。組立工程では、実装基板１ｂが実装された支持部材４の取付部４ａと反対側に、無線通信部２および点灯ユニット８が取り付けられる。
【００５８】
組立工程では、支持部材４の開口部４ａａからアンテナ収容部７ｃをカバー部材５に向かって突出するように配置させた状態で、支持部材４を介して螺子７ｅを収容ケース７の固定部７ｄに螺子止めすることで、無線通信部２が支持部材４に固定される。無線通信部２は、回路基板６と電気的に接続され収容ケース７から導出した配線コード２ｆを点灯ユニット８と電気的に接続させる。
【００５９】
次に、組立工程では、実装基板１ｂを覆うように、カバー部材５を支持部材４に取り付ける。組立工程では、カバー部材５の突起部５ｅが支持部材４の突出部４ｅに嵌め合わせられる。カバー部材５は、一対の突起部５ｅが、対応する突出部４ｅと各別に引っ掛けられることで、支持部材４に組み付けられる。組立工程では、カバー部材５の突壁部５ｄと、支持部材４の側壁部４ｂとを適宜に螺子止めすることで、カバー部材５と支持部材４を一体的に固定することができる。組立工程では、カバーエンド５ｂがカバー部材５および支持部材４の長手方向の両端部に取付けられることで、光源ユニット１０を組み立てることができる。
【００６０】
以下では、光源ユニット１０を備えた照明器具３０について、図４および図５を参照しながら簡単に説明する。
【００６１】
照明器具３０は、上述の光源ユニット１０と、光源ユニット１０を保持する器具本体３１と、を備えている。
【００６２】
照明器具３０は、光源ユニット１０のアンテナ部２ａがカバー部材５により形成された空間１０ａａに配置されるので、より通信性能を高くすることが可能となる。
【００６３】
照明器具３０は、たとえば、天井材に直付けされるように構成されている。器具本体３１は、吊りボルトを用いて、天井材に取り付けられる構成とすることができる。器具本体３１は、長尺の外形形状をしている。器具本体３１は、扁平な箱状に形成されている。器具本体３１は、中央部に凹部３１ａａを有している。凹部３１ａａは、器具本体３１の一面が矩形状に窪んだ外形形状をしている。凹部３１ａａは、器具本体３１の全長に亘って
設けられている。凹部３１ａａは、光源ユニット１０の一部を収容して、光源ユニット１０を取り付けることができるように構成されている。延出部５ｈは、光源ユニット１０が器具本体３１に取り付けられた状態で、器具本体の３１の凹部３１ａａの開口端縁と重なるように設けられている。器具本体３１は、金属板により形成されている。
【００６４】
器具本体３１の底面部３１ａには、挿通孔３１ｃａが設けられている。挿通孔３１ｃａは、外部電源と電気的に接続された給電用の電源線が挿通される。底面部３１ａは、器具本体３１の長手方向に沿って、複数の挿通孔３１ｃａが設けられている。
【００６５】
底面部３１ａには、吊りボルトを通すボルト挿通孔３１ｃｂが設けられている。ボルト挿通孔３１ｃｂは、器具本体３１の長手方向に沿って、４つ設けられている。ボルト挿通孔３１ｃｂは、吊りボルトが挿通できるように構成されている。ボルト挿通孔３１ｃｂに挿通される吊りボルトには、ナットが締め付けられる。
【００６６】
器具本体３１は、短手方向において、凹部３１ａａの両側に凹部３１ａａの開口端縁から延出する傾斜部３１ｂを有している。傾斜部３１ｂは、凹部３１ａａから離れるにつれ、器具本体３１の厚みが薄くなるように傾斜している。器具本体３１は、板金を折り曲げ加工することで形成することができる。器具本体３１は、エンドキャップ３１ｅを備えている。エンドキャップ３１ｅは、器具本体３１の長手方向の両端部に設けられている。エンドキャップ３１ｅは、正面視において、台形形状としている。
【００６７】
器具本体３１の材料としては、鋼板を採用することができる。器具本体３１の材料は、鋼板だけに限られず、たとえば、アルミニウム、ステンレスや銅合金などを採用してもよい。照明器具３０は、器具本体３１を金属製とすることで、樹脂製の場合に比べて、光源ユニット１０の発光素子１ａで発生した熱を、器具本体３１を通して効率よく外部に放熱させることが可能となる。照明器具３０は、器具本体３１から突出する光源ユニット１０のカバー部材５により形成された空間１０ａａにアンテナ部２ａが配置されているので、通信性能をより高くすることが可能となる。
【００６８】
照明器具３０は、天井直付け型の構造だけに限られない。照明器具３０は、光源ユニット１０を支持部材４に取り付けることができる限り、適宜に他の構造の照明器具に利用することができる。照明器具３０では、器具本体３１は、光源ユニット１０の取り付けと取り外しを自在に行うことができるように構成されている。
【００６９】
（実施形態２）
図６に示す本実施形態の光源ユニット１０は、図１に示す実施形態１と同様の構成であり、無線通信部２の構造が主として相違する。なお、本実施形態の光源ユニット１０では、実施形態１と同様の構成要素には同一の符号を付して説明を適宜省略する。
【００７０】
本実施形態の光源ユニット１０では、図７に示すように、光源部１と保持体３とカバー部材５それぞれは、長尺状に形成されている。アンテナ収容部７ｃは、図８に示すように、カバー部材５の長手方向に沿った方向から見て、カバー部材５に向かって突出する先端部７ｆが、対向するカバー部材５の内底面５ａｂの形状に沿った外形形状に形成されている。
【００７１】
本実施形態の光源ユニット１０は、アンテナ収容部７ｃの先端部７ｆがカバー部材５の内底面５ａｂに沿った外形形状のため、光源部１の光によりアンテナ収容部７ｃの影がカバー部材５に投影されても、アンテナ収容部７ｃの形状を目立ちにくくすることができる。
【００７２】
本実施形態の光源ユニット１０は、実施形態１のアンテナ収容部７ｃのごとく、カバー部材５の内底面５ａｂの形状に沿わない構成と比較し、カバー部材５において先端部７ｆの外形形状が影となって顕在化することを抑制し、より見栄えを良くできる。また、本実施形態の光源ユニット１０では、アンテナ収容部７ｃは、先端部７ｆがカバー部材５の内底面５ａｂに沿った円弧状に形成されているので、カバー部材５に向かう角張った出っ張りがない。本実施形態の光源ユニット１０は、カバー部材５に向かう角張った出っ張りがないので、カバー部材５の支持部材４への取り付けに際し、カバー部材５と無線通信部２における先端部７ｆとが当たりにくく、組立作業性を向上させることもできる。光源ユニット１０は、先端部７ｆと、カバー部材５の内底面５ａｂとの距離を、たとえば、３ｍｍ程度に設定することができる。
【００７３】
以下では、本実施形態における無線通信部２の具体的な構造について図９を用いて説明する。
【００７４】
無線通信部２は、実施形態１と同様に、収容ケース７が蓋体７ａとケース本体７ｂとを備えている。蓋体７ａは、アンテナ収容部７ｃと、平板部７ｇと、脚部７ｈと、を備えている。平板部７ｇは、矩形平板状の外形形状をしている。アンテナ収容部７ｃは、平板部７ｇの一表面から立設するように設けられている。アンテナ収容部７ｃは、正面視において、長手方向が平板部７ｇの長手方向と平行となるように設けられている。脚部７ｈは、平板部７ｇにおけるアンテナ収容部７ｃと反対側に突出している。脚部７ｈは、平板部７ｇから突出する先端に爪部７ｊを備えている。一対の脚部７ｈは、矩形状の平板部７ｇの長手方向で対向するように配置されている。脚部７ｈは、矩形状の平板部７ｇにおける短手方向の各辺に沿って、２個ずつ合計４個設けられている。脚部７ｈは、平板部７ｇに対し、爪部７ｊの突出方向と反対側に撓むことができるように弾性を有している。
【００７５】
蓋体７ａは、平板部７ｇの厚み方向に貫通する貫通孔７ｆａが設けられている。平板部７ｇは、正面視において、アンテナ収容部７ｃの長手方向の一端部に貫通孔７ｆａが設けられている。蓋体７ａは、アンテナ収容部７ｃの長手方向における貫通孔７ｆａとは反対の他端部に、平板部７ｇからアンテナ収容部７ｃに渡って突出する規制部７ｓを備えている。
【００７６】
ケース本体７ｂは、矩形状の底壁部７ｂ１と、一対の第１側壁部７ｂ２と、一対の第２側壁部７ｂ３と、を備えている。一対の第１側壁部７ｂ２は、底壁部７ｂ１の長手方向に沿って、底壁部７ｂ１から立ち上がるように、対向して設けられている。一対の第２側壁部７ｂ３は、底壁部７ｂ１の短手方向に沿って、底壁部７ｂ１から立ち上がるように、対向して設けられている。ケース本体７ｂは、矩形状の底壁部７ｂ１と一対の第１側壁部７ｂ２と一対の第２側壁部７ｂ３とで、一面が開放された箱状に形成されている。ケース本体７ｂは、底壁部７ｂ１の長手方向に沿って、第２側壁部７ｂ３から外方に突出する出張部７ｂ４を備えている。出張部７ｂ４には、図６に示す螺子７ｅが固定される螺子固定部７ｒを備えている。
【００７７】
一対の第２側壁部７ｂ３の一方には、回路基板６の一側端を挟み込む一対のリブ７ｋが底壁部７ｂ１から突出するように設けられている。一対の第２側壁部７ｂ３の他方には、回路基板６の他側端を収容する溝部７ｍが設けられている。ケース本体７ｂは、リブ７ｋと溝部７ｍを用いて、通信回路部２ｂが設けられた回路基板６の第２領域６ｃｂ側を保持できるように構成されている。回路基板６は、配線コード２ｆと電気的に接続される。配線コード２ｆは、先端にコネクタ２ｈを備えている。配線コード２ｆは、結束バンド２ｇで結束されている。結束バンド２ｇは、たとえば、長尺のバンドの一端にロック部品を備え、反対側の端を筒状のロック部品に通して結束できる構成としている。
【００７８】
一対の第１側壁部７ｂ２のうちの一方には、ケース本体７ｂにおける開口側から切り欠かれるように設けられた切欠部７ｎを備えている。無線通信部２は、切欠部７ｎを介して、配線コード２ｆを収容ケース７の内部から外部に導出できるように構成されている。収容ケース７は、ケース本体７ｂに窪み部７ｔを備えている。窪み部７ｔは、結束バンド２ｇを収容できるように構成されている。収容ケース７は、配線コード２ｆを結束させる結束バンド２ｇを窪み部７ｔに収容することで、配線コード２ｆが収容ケース７に対して引っ張られた場合の張力止めとして機能させることができる。
【００７９】
収容ケース７は、爪部７ｊと係り合う係合溝７ｕを備えている。収容ケース７は、ケース本体７ｂの開口を塞ぐように蓋体７ａが被せられ、脚部７ｈの爪部７ｊが係合溝７ｕと係り合うことで、蓋体７ａとケース本体７ｂとを固定させることができる。無線通信部２は、アンテナ部２ａで受信した信号に基づいて、通信回路部２ｂが生成した調光信号を、配線コード２ｆを介して、出力できるように構成されている。
【００８０】
無線通信部２は、電波を媒体として無線通信を行う構成に加え、赤外線を媒体として赤外線通信を行う構成も備えている。無線通信部２は、回路基板６の第２領域６ｃｂに赤外光を受光する受光素子６ｅを実装している。受光素子６ｅは、フォトダイオードやフォトトランジスタで構成することができる。受光素子６ｅは、蓋体７ａの貫通孔７ｆａを介して、赤外線信号を受信できるように構成されている。
【００８１】
無線通信部２は、あらかじめ複数の光源ユニット１０がグループ化されている場合、グループごとに制御させる信号が受信できるように構成されている。グループ化された光源ユニット１０は、無線通信部２が受信した信号に基づいて、調光制御することができる。複数の光源ユニット１０の各々は、赤外線信号を利用して、光源ユニット１０ごとの光源部１から照射される光出力を調整できるように構成されている。光源ユニット１０は、たとえば、外部のリモートコントローラから放射される赤外線信号を受信して、光源ユニット１０の各々の光出力の設定を行うことができるように構成できる。光源ユニット１０は、リモートコントローラから放射される赤外線信号で、複数の光源ユニット１０ごとに弁別するアドレスが設定されるように構成されている。
【００８２】
ところで、光源ユニット１０では、光源部１の長手方向の端部に発光素子１ａを近づけるように多く配置することで、より光出力を高くすることができる。また、光源ユニット１０では、アンテナ部２ａを収容するアンテナ収容部７ｃがカバー部材５の内底面５ａｂ側に突出しているほど、通信性能を高めることができる。
【００８３】
しかしながら、図１１に示す参考例の光源ユニットでは、無線通信部２が設けられる場合、発光素子１ａが光源部１の長手方向の端部に近づくほど、発光素子１ａからの直接光がアンテナ収容部７ｃに遮光されるおそれがある。また、光源ユニットは、アンテナ収容部７ｃがカバー部材５側に突出するほど、発光素子１ａからの直接光がアンテナ収容部７ｃに遮光されるおそれがある。参考例の光源ユニットでは、より光出力を向上させようとする場合、発光素子１ａからの直接光がアンテナ収容部７ｃに遮光され、カバー本体５ａにアンテナ収容部７ｃの影が生じるおそれがある。図１１では、発光素子１ａからの直接光を二点破線の矢印で例示し、カバー本体５ａの影が生ずる部分を破線の領域で示している。
【００８４】
本実施形態の光源ユニット１０では、無線通信部２は、アンテナ収容部７ｃが板状の外形形状をしている。アンテナ収容部７ｃは、光源部１の長手方向と交差するように配置されている。先端部７ｆは、カバー部材５と対向する面が、光源部１の長手方向に沿って光源部１に近づくほど、内底面５ａｂから遠のく傾斜面７ｆｂを構成している。
【００８５】
本実施形態の光源ユニット１０は、アンテナ収容部７ｃの先端部７ｆが傾斜面７ｆｂを有していることで、より光出力を向上させつつ、カバー本体５ａにアンテナ収容部７ｃの影が生ずることを抑制することができる。
【００８６】
以下では、本実施形態の光源ユニット１０の組立工程について説明する。
【００８７】
光源ユニット１０の組立工程では、発光素子１ａが実装基板１ｂに実装された光源部１を、支持部材４の取付部４ａに取り付ける。支持部材４は、底部４ｃｂの表面から突出する係合片４ｔを有している。係合片４ｔは、図６に示すように、底部４ｃｂの表面から突出する第１突片４ｔａと、支持部材４の長手方向に沿って、無線通信部２に向かう方向に第１突片４ｔａの先端から突出した第２突片４ｔｂと、を備えている。係合片４ｔは、第１突片４ｔａと第２突片４ｔｂとでＬ字状の外形形状をしている。一対の係合片４ｔは、実装基板１ｂの短手方向に対向して設けられており、実装基板１ｂの厚み方向に切り欠かれた切欠溝１ｂｄを挟むように構成されている。
【００８８】
組立工程では、実装基板１ｂが実装された支持部材４の取付部４ａと反対側からアンテナ収容部７ｃが突出するように、無線通信部２が取り付けられる。支持部材４は、係合片４ｔの第１突片４ｔａが、実装基板１ｂの切欠溝１ｂｄの縁に突き合わられた状態で、無線通信部２が取り付けられている。
【００８９】
本実施形態の光源ユニット１０では、収容ケース７は、光源部１と対向し光源部１の長手方向の移動を規制する規制部７ｓを備えている。
【００９０】
光源ユニット１０は、光源部１と無線通信部２とが支持部材４に取り付けられた場合、光源部１の長手方向において、規制部７ｓと第２突片４ｔｂとの距離が、規制部７ｓと第１突片４ｔａに挟まれる光源部１の長さよりも、短くなるように設定されている。
【００９１】
光源ユニット１０は、規制部７ｓが光源部１の長手方向の移動を規制することができるので、無線通信部２を光源部１の抜け止めに利用することができる。本実施形態の光源ユニット１０では、実装基板１ｂを支持部材４に固定する際に、実施形態１のごとく、係止片４ｓの折り曲げ加工を行うことなく組み立てることができる。
【００９２】
組立工程では、支持部材４の開口部４ａａからアンテナ収容部７ｃをカバー部材５に向かって突出するように配置させた状態で、螺子７ｅが支持部材４を介して収容ケース７の螺子固定部７ｒに固定され、無線通信部２が支持部材４に固定される。
【００９３】
次に、組立工程では、実装基板１ｂを覆うように、カバー部材５を支持部材４に取り付ける。組立工程では、カバー部材５の突起部５ｅが支持部材４の突出部４ｅに嵌め合わせられる。カバー部材５は、一対の突起部５ｅが、対応する突出部４ｅと各別に引っ掛けられることで、支持部材４に組み付けられる。組立工程では、カバー部材５の突壁部５ｄと、支持部材４の側壁部４ｂとを適宜に螺子止めすることで、カバー部材５と支持部材４を一体的に固定することができる。組立工程では、カバーエンド５ｂがカバー部材５および支持部材４の長手方向の両端部に取付けられることで、光源ユニット１０を組み立てることができる。
【００９４】
本実施形態の光源ユニット１０は、実施形態１と同様にして、器具本体３１に取り付けられて、照明器具３０を構成することができる。
【符号の説明】
【００９５】
１  光源部
２  無線通信部
２ａ  アンテナ部
２ｂ  通信回路部
３  保持体
４  支持部材
４ａ  取付部
４ａａ  開口部
５  カバー部材
５ａｂ  内底面
６  回路基板
６ｃａ  第１領域
６ｃｂ  第２領域
７  収容ケース
７ｃ  アンテナ収容部
７ｆ  先端部
７ｆｂ  傾斜面
７ｓ  規制部
１０  光源ユニット
１０ａａ  空間
３０  照明器具
３１  器具本体
【図１】
2019169481.tif 000003
【図２】
2019169481.tif 000004
【図３】
2019169481.tif 000005
【図４】
2019169481.tif 000006
【図５】
2019169481.tif 000007
【図６】
2019169481.tif 000008
【図７】
2019169481.tif 000009
【図８】
2019169481.tif 000010
【図９】
2019169481.tif 000011
【図１０】
2019169481.tif 000012
【図１１】
2019169481.tif 000013